(57)【要約】【課題】活動時においても違和感や不快感が少ない快適性に優れた吸収性物品を提供する。【解決手段】肌当接面側に配置される液透過性トップシート、非肌当接面側に配置される液不透過性バックシート、及びトップシートとバックシートとの間に配置される吸収体を有する吸収性物品であって、液透過性トップシートの吸収体側に、トウからなる繊維集合体が設けられ、吸収性物品の前後端部領域において、液透過性トップシート、トウからなる繊維集合体、及び液不透過性バックシートが、複数の点状接合１５ｂによって、円１５ａの集合体１５を形成するように接合する。【選択図】図３
2020103608.tif 000002
【特許請求の範囲】
【請求項１】
肌当接面側に配置される液透過性トップシート、非肌当接面側に配置される液不透過性バックシート、及び前記トップシートと前記バックシートとの間に配置される吸収体を有する吸収性物品であって、
前記液透過性トップシートの前記吸収体側に、トウからなる繊維集合体が設けられ、
前記吸収性物品の前後端部領域において、前記液透過性トップシート、前記トウからなる繊維集合体、及び前記液不透過性バックシートが、複数の点状接合によって、円の集合体を形成するように接合されている吸収性物品。
【請求項２】
長手方向の寸法が１００ｍｍ以上６００ｍｍ以下であり、幅方向の寸法が３０ｍｍ以上１５０ｍｍ以下である請求項１記載の吸収性物品。
【請求項３】
前記トウからなる繊維集合体は、親水処理が施されている請求項１又は２記載の吸収性物品。
【請求項４】
前記点状接合が、熱シール又は超音波シールである請求項１から３いずれか１項記載の吸収性物品。
【請求項５】
前記円の直径が１ｍｍ以上１０ｍｍ以下である請求項１から４いずれか１項記載の吸収性物品。
【発明の詳細な説明】
【技術分野】
【０００１】
本発明は、吸収性物品に関する。
【背景技術】
【０００２】
一般的に、軽失禁パッド、パンツ型紙おむつ、テープ止め紙おむつ等の吸収性物品は、液透過性のトップシートと、液不透過性のバックシートと、両シートの間に配置された吸収体と、で構成されている。これにより、尿等の体液は、トップシートを通って吸収体に吸収され、バックシートにより外部へ漏れないようになっている。このような吸収性物品には、体液の吸収性の向上、着用者の装着感の向上、漏れ防止等を図るために、様々な工夫がなされている。
【０００３】
特に、少量の尿漏れ吸収に対応した軽失禁パッド又はライナーでは、長手方向前後端は熱エンボスによって表面材と防水材が接合されている。軽失禁パッド又はライナーの着用者は、健常者と同様に活動し、歩行や外出をする機会も多い。しかしながら、長手方向前後端の熱エンボスによって表面材と防水材が接合された領域は、剛性が低く、柔軟性はあるが折れたりめくれたりすることも多い為、着用者に違和感や不快感を与えることがある。
【０００４】
そこで、特許文献１には、長手方向前後縁部とエンドシール部の間の領域にトップシートとバックシートとが接合されていない非シール領域を設ける技術が開示されている。また、特許文献２には、接合領域に複数の形状が異なる圧着部を一定の間隔で配置する技術が開示されている。
【先行技術文献】
【特許文献】
【０００５】
【特許文献１】特開２００６−３２０４４３号公報
【特許文献２】特開２００８−２９５６４５号公報
【発明の概要】
【発明が解決しようとする課題】
【０００６】
しかしながら、特許文献１及び２に記載の技術では、着用者の違和感や不快感の軽減という点においては改善の余地がある。
本発明は、上記事情に鑑みてなされたものであり、活動時においても違和感や不快感が少ない快適性に優れた吸収性物品を提供することを目的とする。
【課題を解決するための手段】
【０００７】
本発明の発明者は、鋭意研究を行った結果、吸収性物品の長手方向前後端部領域において、更に細かい略円形の集合体を形成するように、表面材と、トウからなる繊維集合体と、防水材とを接合することにより、上記課題を解決できることを見出し、本発明を完成するに至った。
【０００８】
すなわち、本発明は、肌当接面側に配置される液透過性トップシート、非肌当接面側に配置される液不透過性バックシート、及び前記トップシートと前記バックシートとの間に配置される吸収体を有する吸収性物品であって、前記液透過性トップシートの前記吸収体側に、トウからなる繊維集合体が設けられ、前記吸収性物品の前後端部領域において、前記液透過性トップシート、前記トウからなる繊維集合体、及び前記液不透過性バックシートが、複数の点状接合によって、円の集合体を形成するように接合されている吸収性物品である。
【０００９】
本発明の吸収性物品は、長手方向の寸法が３００ｍｍ以上６００ｍｍ以下であり、幅方向の寸法が３０ｍｍ以上１５０ｍｍ以下であることが好ましい。
【００１０】
前記トウからなる繊維集合体は、親水処理が施されていることが好ましい。
【００１１】
前記点状接合は、熱シール又は超音波シールであることが好ましい。
【００１２】
前記円の直径は１ｍｍ以上１０ｍｍ以下であることが好ましい。
【発明の効果】
【００１３】
本発明によれば、活動時においても違和感や不快感が少ない快適性に優れた吸収性物品を提供することができる。
【図面の簡単な説明】
【００１４】
【図１】本発明の吸収性物品の平面図である。
【図２】図１におけるＹ−Ｙ断面図である。
【図３】図１の一部拡大図である。
【発明を実施するための形態】
【００１５】
以下、添付図面を参照して、本発明の実施形態について詳細に説明するが、これらは例示の目的で掲げたものであり、これらにより本発明を限定するものではない。なお、実施形態の説明の全体を通して同じ要素には同じ符号を付する。
【００１６】
また、本明細書の説明において、吸収性物品の着用時とは、吸収性物品の着用時及び着用後の少なくとも一方をいう。吸収性物品の長手方向とは、吸収性物品が着用されたときに着用者の前後にわたる方向であり、図中、符号Ｙで示す方向である。また、吸収性物品の幅方向とは、長手方向に対して横又は直交する方向であり、図中、符号Ｘで示す方向である。さらに、肌当接面とは、吸収体等の各部材の表裏両面のうち、着用時に着用者の肌側に配される面であり、非肌当接面とは、吸収体等の各部材の表裏両面のうち、着用時に着用者の肌側とは反対側に向けられる面である。体液とは、尿や血液、軟便中の水分等の体内から体外に排出された液体をいう。さらに、吸収性物品としては、ベビー用又は成人用を問わず、軽失禁パッド、パンツ型紙おむつ、テープ止め紙おむつが例示されるが、これに限定されるものではなく、その他の吸収性物品であってもよい。
【００１７】
［吸収性物品］
図１は、本発明の実施形態の吸収性物品１０をトップシート１１側から見た平面図である。図１に示すように、吸収性物品１０は、肌当接面側に配置される液透過性トップシート１１、非肌当接面側に配置される液不透過性バックシート１２、及びトップシート１１とバックシート１２との間に配置される吸収体１４を有する。さらに、液透過性トップシート１１の吸収体１４側に、トウからなる繊維集合体１３が設けられ、吸収性物品１０の前後端部領域において、液透過性トップシート１１、トウからなる繊維集合体１３、及び液不透過性バックシート１２が、複数の点状接合１５ｂによって、円１５ａの集合体１５を形成するように接合されている。
【００１８】
吸収性物品１０の長手方向Ｙの寸法は１００ｍｍ以上６００ｍｍ以下であり、幅方向Ｘの寸法は３０ｍｍ以上１５０ｍｍ以下であることが好ましい。吸収性物品１０の寸法を上記の範囲に調整することにより、軽失禁パッド、パンツ型紙おむつ、テープ止め紙おむつ等に適した吸収性物品１０を得ることができる。
以下、各構成要素の詳細を説明する。
【００１９】
（トップシート）
液透過性トップシート１１は、体液が吸収体１４へと移動するような液透過性を備えた基材から形成される。液透過性を備えた基材として、例えば、エアスルー不織布、サーマルボンド不織布、スパンボンド不織布等の不織布、サーマルボンド／スパンボンドを積層した複合不織布、ウレタンフォーム等の発泡フィルム、又は、これらを積層した複合シートが挙げられる。
また、トップシート１１には、液透過性を向上させるために、表面にエンボス加工や穿孔加工を施してもよい。これらのエンボス加工や穿孔加工を施すための方法としては、公知の方法を制限なく実施することができる。また、肌への刺激を低減させるため、トップシート１１には、ローション、酸化防止剤、抗炎症成分、ｐＨ調整剤、抗菌剤、保湿剤等を含有させてもよい。
【００２０】
強度、加工性及び液戻り量の点から、トップシート１１の坪量は、１８ｇ／ｍ２以上４０ｇ／ｍ２以下であることが好ましい。トップシート１１は、漏れがないように体液を吸収体１４へと誘導するため、吸収体１４を覆う形状であることが好ましい。
【００２１】
（バックシート）
液不透過性バックシート１２は、吸収体１４が保持している体液が衣類を濡らさないような液不透過性を備えた基材からなり、樹脂フィルムや、樹脂フィルムと不織布とを積層した複合シートといった材料から形成される。複合シートに用いられる不織布としては、製法を特に限定せず、例えば、スパンボンド不織布やメルトブローン不織布、あるいは、スパンボンド／メルトブローン、スパンボンド／メルトブローン／スパンボンドを積層した複合不織布及びこれらの複合材料が挙げられる。また、樹脂フィルムとしては、例えば、ポリエステル、ポリビニルアルコール、ポリエチレン、ポリプロピレン、ポリエチレンとポリプロピレンの複合フィルム等が挙げられる。
【００２２】
強度及び加工性の点から、バックシート１２の坪量は、１５ｇ／ｍ２以上６０ｇ／ｍ２以下であることが好ましい。また、装着時の蒸れを防止するため、バックシート１２には、通気性を持たせることが好ましい。バックシート１２に通気性を備えさせるためには、例えば、基材の樹脂フィルムにフィラーを配合したり、バックシート１２にエンボス加工を施したりすればよい。なお、フィラーとしては炭酸カルシウムを挙げることができ、その配合方法は、公知の方法を制限なく行うことができる。
【００２３】
（吸収体）
本実施形態の吸収性物品１０は、図１に示すように、吸収体１４の長手方向Ｙの最大値を示す箇所の寸法は、７０ｍｍ以上５５０ｍｍ以下であることが好ましく、１００ｍｍ以上５００ｍｍ以下であることがより好ましい。また、吸収体１４の幅方向の最大値を示す箇所の寸法は、５０ｍｍ以上１２０ｍｍ以下であることが好ましく、６０ｍｍ以上１０５ｍｍ以下であることがより好ましい。
また、本実施形態の吸収性物品１０における吸収体１４は、肌当接面側に位置する上層吸収体と、非肌当接面側に位置する下層吸収体とからなる２層構造であってもよく、上層吸収体と下層吸収体との間にキャリアシートを配置して３層構造としてもよい。
【００２４】
−吸収性繊維−
吸収体１４は、基材としての吸収性繊維と、高吸収性ポリマー（ＳＡＰ）とを含有するものが好ましい。
吸収性繊維は、一般に生理用ナプキンや紙おむつ、尿取りパッド等の吸収性物品に使用されるものであればよく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。フラッフパルプとしては、木材パルプ（例えば、サウザンパインやダグラスファー等の針葉樹晒クラフトパルプ（Ｎ−ＢＫＰ））、合成繊維、樹脂繊維、非木材パルプ等を綿状に解繊したものを挙げることができる。吸収体１４に、基材としての吸収性繊維にフラッフパルプを用いた場合、吸収性繊維の坪量は、１００ｇ／ｍ２以上８００ｇ／ｍ２以下であることが好ましく、３２５ｇ／ｍ２以上６１５ｇ／ｍ２以下であることがより好ましい。これにより、肌触りを損なわずに、より多くの体液を吸収させることができる。
【００２５】
−高吸収性ポリマー−
吸収体１４の高吸収性ポリマーとしては、体液を吸収し、かつ、逆流を防止できるものであればよく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、質量当たりの吸収量の観点から、ポリアクリル酸ナトリウム系が好ましい。
【００２６】
吸収体１４に含有されるＳＡＰの坪量は、２４０ｇ／ｍ２以上４５０ｇ／ｍ２以下であることが好ましく、２４５ｇ／ｍ２以上４４５ｇ／ｍ２以下であることがより好ましい。上記の数値範囲内とすることで、吸収体１４におけるゲルブロッキングを防止し、かつ、吸収体１４において多量の体液を吸収させることができる。
また、吸収体１４において、フラッフパルプの質量に対する、高吸収性ポリマーの質量の比率である、高吸収性ポリマーの質量／フラッフパルプの質量×１００（％）が、４０％以上１２０％以下であることが好ましく、５０％以上１００％以下であることがより好ましい。
【００２７】
吸収体１４において、吸収性繊維及びＳＡＰの形態は、吸収性繊維中にＳＡＰ粒子を混合して形成したものでもよく、吸収性繊維間にＳＡＰ粒子を固着したＳＡＰシートでもよい。また、ＳＡＰ粒子の漏洩防止や吸収体１４の形状の安定化の目的から、吸収体１４をキャリアシートに包んでもよい。キャリアシートの基材としては親水性を有するものであればよく、ティシュ、吸収紙、エアレイド不織布等の親水性不織布を挙げることができる。キャリアシートを複数備える場合は、複数のキャリアシートの基材は同一のものであっても異なるものであってもよい。
【００２８】
（トウからなる繊維集合体）
トウからなる繊維集合体１３は、トウを開繊した長繊維フィラメントの集合体であり、長繊維の配向方向が揃うように収束されている。本発明においては、長繊維の配向方向が、吸収性物品１０の長手方向Ｙとなるように配置することが好ましい。例えば、連続フィラメントのトウを開繊し、適当な長さに切断することで、長繊維の束から構成された繊維集合体を製造することができる。
【００２９】
トウからなる繊維集合体１３の基材としては、綿等に由来する天然セルロース、レーヨン等の再生セルロース、セルロースアセテート、ポリエチレン、ポリプロピレン、ＰＥＴ等を用いることができ、これらの中でも、綿等に由来する天然セルロース、レーヨン等の再生セルロース、セルロースアセテートを用いることが好ましく、嵩高さを得やすく、吸収体１４に柔軟性及び可撓性を付与できる、セルロースアセテートを用いることがより好ましい。
また、トウからなる繊維集合体１３の繊度は、特に限定されないが、使用上十分な強度を有するようにする点から、例えば、０．１ｄｔｅｘ以上１０．０ｄｔｅｘ以下であればよい。
【００３０】
また、トウからなる繊維集合体１３において、繊維間の絡みが弱いため、絡みを融着して固定させる目的で、バインダーを用いることが好ましい。バインダーとしては、トリアセチン等を用いることができる。
【００３１】
トウからなる繊維集合体１３の坪量は、２０ｇ／ｍ２以上１００ｇ／ｍ２以下であることが好ましく、３０ｇ／ｍ２以上８０ｇ／ｍ２以下であることがより好ましい。
【００３２】
トウからなる繊維集合体１３は、特許第６２７６８９７号記載のような既知の紡糸工程におけるオイリング装置で繊維表面に既知の親水化剤を付着することによって、親水処理が施されていてもよい。また、上記の親水化剤は、紙おむつの製造工程上において、スプレー塗工など既知の塗工方式で搬送中の繊維集合体に対して直接付与されていてもよい。また、本質的に繊維集合体の親水度を高める方法として、酢酸セルロース繊維の原材料は、アセチル基置換度が比較的低く、残存水酸基が比較的多いタイプの酢酸セルロースを選択使用してもよい。具体的には、アセチル基置換度が高く水酸基が少ないセルローストリアセテートではなく、アセチル基置換度が低く水酸基が多いセルロースジアセテートを原料として使用することにより、繊維表面を含めた繊維内外部の親水度を高めてもよい。
【００３３】
（接合部分について）
図２に、図１におけるＹ−Ｙ断面図を示し、図３に、図１中の符号２０の拡大図を示す。
本発明の吸収性物品１０は、図２に示すように、前後端部領域において、液透過性トップシート１１、トウからなる繊維集合体１３、及び液不透過性バックシート１２が、複数の点状接合１５ｂによって、円１５ａの集合体１５を形成するように接合されている。なお、図３においては、円１５ａを、円周を記載することで示しているが、円周は接合されておらず、点状接合１５ｂで形成される仮想の円を示している。
点状接合１５ｂは、熱シール又は超音波シールであり、点状接合１５ｂの直径は、５０μｍ以上５００μｍ以下であることが好ましい。
また、円１５ａの直径は、１ｍｍ以上１０ｍｍ以下である。ここで、円１５ａの直径は、点状接合１５ｂを結ぶことによって形成される円１５ａの内径の最大値とする。
本発明において、点状接合１５ｂは、図１に示すように、吸収性物品１０の前後端部において、トウからなる繊維集合体１３の幅全体に亘って形成されることが好ましい。
本発明の吸収性物品１０は、前後端部領域を、複数の点状接合１５ｂによって、円１５ａの集合体１５を形成するように接合することにより、装着時に活動状態でも違和感や不快感が少なく、快適性に優れる。
【００３４】
以上、実施形態を用いて本発明を説明したが、本発明の技術的範囲は上記実施形態や実施例に記載の範囲には限定されないことは言うまでもない。上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００３５】
１０    吸収性物品
１１    液透過性トップシート
１２    液不透過性バックシート
１３    トウからなる繊維集合体
１４    吸収体
１５    円の集合体
１５ａ    円
１５ｂ    点状接合
【図１】
2020103608.tif 000003
【図２】
2020103608.tif 000004
【図３】
2020103608.tif 000005